(57)【要約】【課題】  健康促進器具としての性格を全面的に押し出した装身具に、生体電池作用を内蔵した、皮接治療用装身具１０を提供する。【解決手段】  略環状を呈する装身具本体３を有し、装身具本体３に、皮膚に接触する正極部１である貴金属と負極部２であるＮ型半導体とが複数設けられ、該貴金属と該Ｎ型半導体負極部とが導電性を有する部材で互いに接続されると共に、前記貴金属が前記Ｎ型半導体より高い標準電極電位を有する皮接治療用装身具１０であって、装身具本体３が導電性を有する部材から成るか、装身具本体３には、前記貴金属と前記Ｎ型半導体とを接続する導電性を有する部材が設けられたかの形態を採り、前記貴金属と前記Ｎ型半導体とが、装身具本体３の長手方向に沿って交互に配置されている皮接治療用装身具１０を提供する。【選択図】  図２
2006247242.tif 000002
【特許請求の範囲】
【請求項１】
略環状を呈する装身具本体を有し、該装身具本体に、皮膚に接触する正極部と負極部とが複数設けられ、該正極部と該負極部とが導電性を有する部材で互いに接続されると共に、前記正極部が前記負極部より高い標準電極電位を有することを特徴とする皮接治療用装身具。
【請求項２】
前記装身具本体が導電性を有する部材から成ることを特徴とする請求項１に記載の皮接治療用装身具。
【請求項３】
前記装身具本体には、前記正極部と前記負極部とを接続する導電性を有する部材が設けられたことを特徴とする請求項１に記載の皮接治療用装身具。
【請求項４】
前記正極部と前記負極部とが、前記装身具本体の長手方向に沿って交互に配置されていることを特徴とする請求項１乃至３の何れか１項に記載の皮接治療用装身具。
【請求項５】
略環状を呈する装身具本体が皮膚に接触する正極部から成り、前記装身具本体に、負極部を導通するように設けると共に、前記正極部が前記負極部より高い標準電極電位を有することを特徴とする皮接治療用装身具。
【請求項６】
前記正極部が貴金属から成り、前記負極部がＮ型半導体から成ることを特徴とする請求項１乃至５の何れか１項に記載の皮接治療用装身具。
【発明の詳細な説明】
【技術分野】
【０００１】
本発明は、生体電池の作用により肌に電気的刺激を与える健康器具で、装飾性をも兼ね備えた皮接治療用装身具に関する。
【背景技術】
【０００２】
近年、不規則な日常生活、電子機器を多用する仕事等が原因で、慢性的な肩凝りや腰痛等に悩まされる人が増加している。このような悩みの主原因は、筋肉や神経の局所的な疲労によるものと言われている。筋肉や神経の疲労をもたらす原因は、人により異なり、その症状の程度も異なる。疲労原因がスポーツによる筋肉疲労のように一過性のものではなく、日常生活に基づくような場合には、この疲労が慢性疾患をもたらすことが多い。
【０００３】
従来、肩凝りや腰痛の予防、治療に江戸時代以前から継承されてきた民間療法が重要な役割を担ってきて、戦後厚生省（現厚生労働省）が民間療法を体系付け、既存商品を医薬品、基礎化粧品、医療用具として認定した。このような日常的な家庭生活における「凝り」や「痛み」の治療具として、パップ剤、温灸、金属粒や磁気を利用する治療具、低周波治療器等が続々と開発、市販されてきている。
【０００４】
しかし、それらは飽くまで対症療法で、根本的な治療には結びつかなかった。それに対し本発明の作動原理であるバイオセルは、図１に示すように、「凝り」や「痛み」の原因を取り除く効果を数多の臨床結果で立証した、いわば原因療法としての家庭用治療具の一面性を備えている。
【０００５】
他方で、これらの治療具と形態を異にするものとして、最近はブレスレット、アンクレット、アームリング、ネックレス等は装身具としての色彩が濃く、治療性の論理的裏付けに乏しいものが多かった。特許文献に記載のあるものとしては次の（１）の１件を掲げる。
（１）特許文献１
【０００６】
これは、少なくとも皮接面が貴金属またはその合金（以下、「甲」と言う。）で構成される導電性鉱物Ａと、Ａに近接配置され且つ少なくとも皮接面が前記甲より標準単極電位の低いＮ型半導体（以下、「乙」と言う。）から成る導電性鉱物Ｂと、を互いの非皮接領域において保護抵抗Ｒを介して電気接続し、甲と乙とを同時皮接して用いる。Ｒが０．１〜５０ＭΩの間の適当な抵抗値を有する。前記乙は酸化物半導体、前記Ｂがこの酸化物半導体を構成する金属元素を含んでいてよい。更に、皮内に注入されたキャリアの運動に影響を与える程度の大きさの磁場を付与した皮接治療具を含む構成としたものである。
【特許文献１】特開平０８−１７３５５４号公報
【発明の開示】
【発明が解決しようとする課題】
【０００７】
しかしながら、生体電池（バイオセル）の作用は利用してはいるものの、治療具としてシールで直接肌に貼付している為、見栄えが良くないと言うような短所があった。
【０００８】
そこで、本発明は、健康促進器具としての性格を全面的に押し出した装身具に、この生体電池作用を内蔵した、皮接治療用装身具を提供することを課題としている。
【課題を解決するための手段】
【０００９】
係る課題を達成するために、本発明は提案されたものであり、請求項１に記載の発明は、略環状を呈する装身具本体を有し、該装身具本体に、皮膚に接触する正極部と負極部とが複数設けられ、該正極部と該負極部とが導電性を有する部材で互いに接続されると共に、前記正極部が前記負極部より高い標準電極電位を有することを特徴とする。
【００１０】
請求項２に記載の発明は、請求項１に記載の構成に加えて、前記装身具本体が導電性を有する部材から成ることを特徴とする。
【００１１】
請求項３に記載の発明は、請求項１に記載の構成に加えて、前記装身具本体には、前記正極部と前記負極部とを接続する導電性を有する部材が設けられたことを特徴とする。
【００１２】
請求項４に記載の発明は、請求項１乃至３の何れか１項に記載の構成に加えて、前記正極部と前記負極部とが、前記装身具本体の長手方向に沿って交互に配置されていることを特徴とする。
【００１３】
請求項５に記載の発明は、略環状を呈する装身具本体が皮膚に接触する正極部から成り、前記装身具本体に、負極部を導通するように設けると共に、前記正極部が前記負極部より高い標準電極電位を有することを特徴とする。
【００１４】
請求項６に記載の発明は、請求項１乃至５の何れか１項に記載の構成に加えて、前記正極部が貴金属から成り、前記負極部がＮ型半導体から成ることを特徴とする。
【発明の効果】
【００１５】
上記、請求項１に記載の発明によれば、略環状を呈する装身具本体を有し、該装身具本体に、皮膚に接触する正極部と負極部とが複数設けられ、該正極部と該負極部とが導電性を有する部材で互いに接続されると共に、前記正極部が前記負極部より高い標準電極電位を有することを特徴とするので、身体の凝り易い部位や痛い箇所、人体のツボ等に前記正極部と前記負極部とが同時に接触し易く、前記正極部と前記負極部が同時に皮膚に接触することにより、皮下組織を電解質とする生体電池が形成され、皮下組織内に流れるイオン電流により末梢神経が刺激され、肩凝りや腰痛と言った不定愁訴が解消される。生体電池を用いている為、電池交換は不要で、治療効果が永続的である。また、略環状を呈する為、貼る手間も要らなければ、貼付用シートも不要なばかりでは無く、装着し易い。更に、見た目にも治療具を装着しているとは思われず、装身具本体の装飾機能が発揮され、健康美を誇示した装飾品の着用と思われ、見栄えも良くなり、対人イメージも良くなる。
【００１６】
請求項２に記載の発明によれば、請求項１に記載の効果に加えて、前記装身具本体が導電性を有する部材から成ることを特徴とするので、前記装身具本体の他に新たに導電性を有する部材を設ける必要もなく、見た目にもスッキリしたデザインの装身具とすることができる。また、前記導電性を有する部材の電気抵抗が軽減され、生体電池としての機能も向上する。
【００１７】
請求項３に記載の発明によれば、請求項１に記載の効果に加えて、前記装身具本体には、前記正極部と前記負極部とを接続する導電性を有する部材が設けられたことを特徴とするので、前記装身具本体のデザインを自由に替えても導電性を有する部材には影響しない為、生体電池としての治療効果には全く悪影響を及ぼさない。寧ろ前記装身具本体が、導電性を有する部材を、皮膚から絶縁することにより、漏電を防ぎ、生体電池の機能を遺憾無く発揮できる。
【００１８】
請求項４に記載の発明によれば、請求項１乃至３の何れか１項に記載の効果に加えて、前記正極部と前記負極部とが、前記装身具本体の長手方向に沿って交互に配置されていることを特徴とするので、前記正極部のみが皮膚に接触し、前記負極部が全て皮膚から離隔していると言う状態を避けることが出来、常に前記正極部の内何れか一つと前記負極部の内何れか一つとが、同時に皮膚に接触する状態を作ることができる為、生体電池機能が連続して発揮され、治療効果を徒に減衰させることは無い。
【００１９】
請求項５に記載の発明によれば、略環状を呈する装身具本体が皮膚に接触する正極部から成り、前記装身具本体に、負極部を導通するように設けると共に、前記正極部が前記負極部より高い標準電極電位を有することを特徴とするので、構成部品が前記正極部と前記負極部の二種類で済み、構造がシンプルな上、耐久性に優れ、前記負極部の形状等を替えることで、デザインを一新できる。勿論、前記正極部と前記負極部とが常に同時に皮膚に接触するように前記負極部の配置を工夫し、斬新なデザインにも資することもできる。
【００２０】
請求項６に記載の発明によれば、請求項１乃至５の何れか１項に記載の効果に加えて、前記正極部が貴金属から成り、前記負極部がＮ型半導体から成ることを特徴とするので、両極が異種金属による生体電池（電解質は皮膚）では、電子（マイナスイオン）の不足した負極部が、近傍のマイナスイオン物質と結合して絶縁性の水酸化物を形成する為、負極部に塩が析出し、電子が負極部から不安定にしか供給されなくなり、生体電池としての機能は時間と共に低下し、やがて機能を停止すると言う不都合が生じる。しかし、前記負極部のＮ型半導体は、皮膚との接触面で皮下組織内に電子が流入することを阻止するショットキーバリアを形成するので、前記負極部から前記導電性のある部材を通じて前記正極部に電子移動した後に残った前記負極部の陽電子（ホール）は皮膚との接触面で、半導体内から自らイオン化し、皮膚内に強制的に排出され、酸化反応し、一方、前記正極部の貴金属に移動した電子は更に皮下組織に流入し、還元反応する。これらの酸化還元反応は、皮下組織内の電子が再結合（電気的に中和）することで、継続される。
【発明を実施するための最良の形態】
【００２１】
以下、本発明を実施するための最良の形態について説明する。
【００２２】
図２及び図３に示すように、本発明を実施するための最良の形態は治療性（健康促進性）と装飾性を兼ね備えている。
〔発明の実施の形態１〕
【００２３】
本発明の実施の形態１では、株式会社ヴァンガード社発売予定の「バイオセル  アームリング」が形状、治療効果ともに特筆すべきで、図を参照しながら以下に説明する。
【００２４】
図２に示すように、本発明の実施例の一つである皮接治療用装身具を展開した（ａ）正面図と（ｂ）側面図を模式的に表現した。本発明の皮接治療用装身具の実施例の一つである腕輪（アームリング）は、環状の装身具本体３に、正極部１及び負極部２が設けられて構成されている。正極部１は負極部２より高い標準電極電位を有する導電性物質であり、負極部２は正極部１より低い標準電極電位を有する導電性物質である。これらの正極部１及び負極部２は環状の装身具本体３の裏面に配置され、装身具本体３を構成する金属製の導電性を有する部材によって、電気的に接続され、装着時に皮膚に直接接触する。正極部１の直下の皮下組織から負極部２の直下の皮下組織へイオン電流が流れる為、正極部１と負極部２との間が比較的長くなると、一つのバイオセルの電気的閉回路が大きくなる為、治療できる部位が大きくなり、経済的である。正極部１に用いる導電性物質は、化学的変化を受け難く、且つ高い標準電極電位を有する任意の金属又は合金であることが好ましく、特に金が好ましい。負極部２に用いる導電性物質は、金属及びその合金、並びに半導体であることが好ましく、特にＮ型半導体を用いると、負極部２の電極上に塩が析出せずに、電子が安定的に供給される為、Ｎ型半導体を用いることが好ましい。Ｎ型半導体には、非酸化物のゲルマニュームや、酸化亜鉛、酸化錫、酸化インジュウム、酸化アンチモン等の金属酸化物半導体が使用できるが、これらに限定されることはない。
【００２５】
尚、上記実施の形態１に於いては、正極部１、負極部２を、環状の装身具本体３に個別に配置し、環状の装身具本体３を構成する金属製の導電性を有する部材で、正極部１と負極部２とを電気的に接続した例について説明したが、正極部１と負極部２とを電気的に接続し、一体とした素子を、環状の装身具本体３の裏面に配置しても良い。この場合は、環状の装身具本体３は、金属製である必要が無いことは自明である。
〔発明の実施の形態２〕
【００２６】
図３に示すように、本発明の実施例のもう一つの形態は、装飾デザインを斬新に変更できる上、皮接時間（正極部１と負極部２とが皮膚に同時に接触している時間）が長くなることにより、皮接治療の効果をより確実なものとすることができる。本発明の実施の形態２では、腕輪（アームリング）を展開したときに、その長手方向に正極部１と負極部２とを延ばし、正極部１と負極部２との接合部分を環状の装身具本体３の裏面の長手方向全てに渡り存在せしめると、常に正極部１と負極部２とは、皮膚に同時に接触することになり、常にバイオセル（生体電池）は作動していることになる。腕輪としての装飾デザインも腕輪を展開したときの長手方向に筋状の模様になり、斬新である。勿論、正極部１と負極部２との接合部分を筋状に限定すべきではなく、ジグザグにしてもウエーブにしても良い。寧ろジグザグやウエーブの方が、正極部１と負極部２との接合部分の面積が増え、同時に皮膚との接触面も増える為、バイオセル（生体電池）に流れる電流量が増え、治療効果も増大する。
【００２７】
尚、本発明の皮接治療用装身具の実施の形態２では、実施の形態１とは異なり、導電性を有する部材を敢えて設けなくても良いと言うコスト上の利点も加味される。
【００２８】
また、本発明の皮接治療用装身具の実施の形態１及び２の双方について、装飾性及び治療性能の両立を達成できる皮接治療用装身具を供給できる。
【００２９】
ここで、本発明の皮接治療効果である、人体に作用するメカニズムに簡単に触れておく。図４に示すように、本発明の皮接治療用装身具が皮膚に接触すると、微少なイオン電流が体内（皮下組織）に流れ、神経を通じて体外からの外的刺激（ストレス信号）として脳へ伝達される。すると、脳はストレスに対する為の刺激部位の血液増加や筋肉の収縮を促す改善信号を出し、当該刺激部位に滞った乳酸を押し流し、自然治癒力によって症状を改善する。
【００３０】
本発明の皮接治療用装身具が皮膚に接触すると、微少なイオン電流が体内（皮下組織）に流れる作動原理であるバイオセルは、図５に示すように、正極部である貴金属と負極部であるＮ型半導体とが、直接又は導電性部材を介して間接に導通されており、両極が同時に皮膚に接触することで、皮膚が電解質、正極部が酸化剤、負極部が還元剤として働く、酸化還元反応に基づく化学電池である。
【００３１】
両極が同時に皮膚に接触することで、閉回路が構成され、負極部から正極部へ電子が流入し、正極部である貴金属に流入した電子は、皮膚との接触面から皮下組織に浸透して還元反応を起こす。一方、負極部であるＮ型半導体には、伝導帯（Conduction Band）と言うエネルギー準位の高い電子と価電子帯（Valence Band）と言うエネルギー準位の低い正孔とが、二種類のキャリア（荷電担体）として併存している。これは、半導体の禁制帯（Forbidden Band）の性質によって、再結合（Reconbination）が制止されているからである。また、Ｎ型半導体は、皮膚のような電解質や導電体に接触すると接合界面に空乏層が生じ、いわゆるショットキー電位障壁が形成される。このショットキー電位障壁は、接合界面に１〜２μｍ幅の高電界領域（いわゆる空乏層）を形成して正孔を半導体外に押し出す作用をすると同時に、接触している皮膚のような外部から流入する電子を堰き止める作用をする。従って、本来、電子が正極部に流出すると負極部に正孔が過剰に発生し、負極部全体が正（プラス）に帯電するはずであるが、実際には過剰の正孔の流出と、皮膚からの電子の流入阻止により、負極部である半導体は電気的に中性を保つことができる。次に、負極部のＮ型半導体から押し出された正孔は、皮下組織で酸化反応を起こす。この結果、皮下組織では、図５に示すように左向きに、主として拡散に基づくイオン電流が流れる。
【００３２】
尤も、異種の金属を正極部及び負極部としても同様に化学電池にはなる。但し、負極部が半導体ではない為に、ショットキー電位障壁が形成されず、負極部から正極部に電子が流出すると、それを補うように、皮膚から負極部に電子が供給される。この現象により、最初のうちは、正極部の直下領域の皮下組織では還元反応が起き、負極部の直下領域の皮下組織では酸化反応が起きるが、この化学電池は安定した作動はしない。何故ならば、正極部から皮下組織に流入した電子は還元反応で消尽する為、実際には負極部表面の金属イオンが皮膚から流入する電子では完全には中和されずに、その結果残った陽イオンが皮膚の水分等と選択的に反応して、不導体化し、水酸化物が生成され、負極部が急速に劣化するからである。
【産業上の利用可能性】
【００３３】
本発明は以上の通りであるから、装飾性に優れ、治療効果も他の類似品に比べ、抜群であるから、ブレスレット、アンクレット、アームリング、ネックレス又はベルト等の装身具として使用するばかりではなく、愛玩動物の識別用首輪としても応用でき、形状等を工夫して水中に入れ、水生動物の蘇生器具としても適用できる。
【図面の簡単な説明】
【００３４】
【図１】本発明の実施の形態１及び２に係る皮接治療用装身具の作動原理であるバイオセル（生体電池）が生まれるまでの家庭用治療方法の経緯を年代順に示した模式図である。
【図２】本発明の実施の形態１に係る皮接治療用装身具である腕輪（アームリング）を展開した（ａ）裏面正面図と（ｂ）側面図である。
【図３】本発明の実施の形態２に係る皮接治療用装身具である腕輪（アームリング）の斜視図である。
【図４】本発明の実施の形態１及び２に係る皮接治療用装身具の作動原理であるバイオセル（生体電池）が人体に作用するメカニズムを示した略模式ブロック図である。
【図５】同実施の形態１及び２に係る皮接治療用装身具の作動原理を示した模式図である。
【符号の説明】
【００３５】
１      正極部
２      負極部
３      装身具本体
１０    皮接治療用装身具（腕輪）
【図１】
2006247242.tif 000003
【図２】
2006247242.tif 000004
【図３】
2006247242.tif 000005
【図４】
2006247242.tif 000006
【図５】
2006247242.tif 000007